(57)【要約】  【課題】空気調和機の運転によるブレーカトリップを警告する機能を備えた空気調和機において、他の電気機器で使用可能な余裕電流値を単位時間毎に報知することで、ブレーカトリップ発生を防止するために同時に使用可能な電気機器の消費電流値をユーザーが正確に認識できる空気調和機を提供する。  【解決手段】空気調和機が設置された家屋のブレーカ容量と、同ブレーカ容量内で使用可能な電流である余裕電流値を周期的に予測する期間である予測期間とが予め設定される。そして、室内機１は予測期間の開始時点で回転数の指示に基づいて空気調和機の予測期間の終了時点での空気調和機の消費電流を予測して余裕電流値を算出する余裕電流予測手段２４と、余裕電流値をユーザーへ報知する報知手段２２とを備えている。余裕電流予測手段２４は、予測期間毎に余裕電流値を算出し、算出した余裕電流値を報知手段２２へ出力する。【選択図】図２
2015031409.tif 000002
【特許請求の範囲】
【請求項１】
圧縮機と、設定温度と室温との温度差に基づいて前記圧縮機の回転数を指示する制御手段とを備えた空気調和機であって、
前記空気調和機が設置された家屋のブレーカの遮断電流値と、同遮断電流値内で前記空気調和機以外の電気機器で使用可能な電流である余裕電流値を予測する予測期間とが予め記憶され、
前記空気調和機は、周期的に繰り返される前記予測期間における１周期の開始時点で前記回転数の指示に基づいて前記空気調和機の前記予測期間における１周期の終了時点での前記空気調和機の消費電流を予測し、前記遮断電流値から前記予測した前記空気調和機の消費電流を減算して前記余裕電流値を算出して出力する余裕電流予測手段と、入力された前記余裕電流値をユーザーへ報知する報知手段とを備えたことを特徴とする空気調和機。
【請求項２】
前記制御手段が指示した前記回転数の値が入力され、入力された前記回転数の値よりも低減させて前記圧縮機の回転数を指示する回転数抑制手段を前記空気調和機に設け、前記回転数抑制手段は、前記空気調和機の運転開始から予め定めた所定時間だけ前記回転数の値を低減させることを特徴とする請求項１記載の空気調和機。
【発明の詳細な説明】
【技術分野】
【０００１】
本発明は、空気調和機に係わり、より詳細には、この空気調和機を備えた家屋でブレーカトリップ（過電流等によるブレーカの遮断動作）を発生させないように警告を報知する空気調和機の制御に関する。
【背景技術】
【０００２】
従来、空気調和機を備えた家屋でブレーカトリップを発生させないように、この空気調和機から警告を報知する構成としては図７のブロック図に示す特許文献１の空気調和機の制御装置が開示されている。
この制御装置は、空気調和機１０３の本体の消費電流が入力されると共に、空気調和機１０３以外の一般電気機器、例えばトースター１０１や電子レンジ１０２など複数の機器の消費電流が別系統で入力される電流検出手段１００を備えている。この電流検出手段１００は、ここで検出したそれぞれの系統の消費電流値を表示手段１０４に出力して、それぞれ個別に表示すると共に、この２つの系統の消費電流値を合計し、この合計値も表示手段１０４に出力して表示するようになっている。
【０００３】
一方、電流検出手段１００は、２つの系統、つまり、空気調和機とその他の電気機器との消費電流の合計値を比較手段１０６へ出力する。比較手段１０６は基準電流設定手段１０５で設定された基準電流値と、この入力された消費電流の合計値とを比較し、合計値が基準電流値を超えた場合、ブレーカトリップが発生するおそれがあるとして、警告音発生手段１０７へ警告音発生指示を出力する。これが入力された警告音発生手段１０７は、ユーザーに対して警告音を発生させて注意を促す構成になっている。
【０００４】
ところで、現在、ほとんどの空気調和機ではインバータ方式が採用されている。図８はこのインバータ方式を採用した空気調和機のブロック図である。この空気調和機は室外機２と通信線３で接続された室内機１１０とで構成されている。また、室内機１１０は図示しないリモコンを介して設定温度値や運転モードが設定されると共に、室温検出手段１１２から室温値が入力される制御手段１１１が備えられており、制御手段１１１は設定温度値や運転モードや室温値に対応して室外機２内の圧縮機２ａの回転数の増加（又は減少）を指示する増加回転数値を出力して空調運転を実行するようになっている。なお、圧縮機２ａの回転数が高くなればこれにほぼ比例して空気調和機の消費電力も増加する。
【０００５】
例えば複数の電気機器と空気調和機とが同時に使用されている場合、制御手段１１１は指示された空調運転を実施するため、設定温度値から室温値を減算して温度差を算出し、この温度差が無くなるように増加回転数値を定期的、例えば１分毎に出力する。従ってこの温度差が大きい場合、例えば設定温度を空調負荷が大きくなるように変更したり、窓や扉を開閉した場合などは急激な温度差が発生する。このため制御手段１１１は、室温を設定温度にするために圧縮機２ａの回転数を急激に増加させる。これによって、空気調和機の消費電流が急激に増加し、空気調和機とその他の電気機器との消費電流の合計値も増加する。前述したように、この合計電流値が基準電流値を超えた場合、警告音発生手段１０７は、ユーザーに対して警告音を発生させて注意を促す。この警告音を認識したユーザーが電気機器の停止を実施しようとしても時間的に間に合わずにブレーカトリップが発生する場合があった。
【０００６】
また、このような急激な室温変化がない場合でも、外気温の変化によって室温と設定温度との温度差が開いた場合、制御手段１１１は少しずつ圧縮機の回転数を増加させることで空気調和機の消費電流が増える事があり、ユーザーの知らない間に、空気調和機以外の電気機器がブレーカトリップを発生させずに使用可能消費電流である余裕電流値が減少し、急な警告音の発生をユーザーが認識しても電気機器の停止が間に合わない場合があった。
【０００７】
このようなブレーカトリップを回避するためには、基準電流設定手段１０５で設定する基準電流値をブレーカ容量に対して余裕を持った低めの基準電流値に設定すればよい。
しかしながら、余裕を持った低めの基準電流値では余裕電流値が減少し、ブレーカトリップ発生までに消費電流の余裕があるにも関わらずに警告音が発生し、結果的に使用可能な電気機器であっても停止しなければならず、また、基準電流値を高めに設定すればブレーカトリップが発生しやすいという問題があった。
【先行技術文献】
【特許文献】
【０００８】
【特許文献１】特開平４−１３１６４０号公報（第２−３頁、図３）
【発明の概要】
【発明が解決しようとする課題】
【０００９】
本発明は以上述べた問題点を解決し、空気調和機の運転によるブレーカトリップを警告する機能を備えた空気調和機において、他の電気機器で使用可能な余裕電流値を単位時間毎に報知することで、ブレーカトリップ発生を防止するために同時に使用可能な電気機器の消費電流値をユーザーが正確に認識できる空気調和機を提供することを目的とする。
【課題を解決するための手段】
【００１０】
本発明は上述の課題を解決するため、本発明の請求項１に記載の発明は、圧縮機と、設定温度と室温との温度差に基づいて前記圧縮機の回転数を指示する制御手段とを備えた空気調和機であって、
前記空気調和機が設置された家屋のブレーカの遮断電流値と、同遮断電流値内で前記空気調和機以外の電気機器で使用可能な電流である余裕電流値を予測する予測期間とが予め記憶され、
前記空気調和機は、周期的に繰り返される前記予測期間における１周期の開始時点で前記回転数の指示に基づいて前記空気調和機の前記予測期間における１周期の終了時点での前記空気調和機の消費電流を予測し、前記遮断電流値から前記予測した前記空気調和機の消費電流を減算して前記余裕電流値を算出して出力する余裕電流予測手段と、入力された前記余裕電流値をユーザーへ報知する報知手段とを備えたことを特徴とする。
【００１１】
また、前記制御手段が指示した前記回転数の値が入力され、入力された前記回転数の値よりも低減させて前記圧縮機の回転数を指示する回転数抑制手段を前記空気調和機に設け、前記回転数抑制手段は、前記空気調和機の運転開始から予め定めた所定時間だけ前記回転数の値を低減させることを特徴とする。
【発明の効果】
【００１２】
以上の手段を用いることにより、本発明による空気調和機によれば、
請求項１に係わる発明は、予測期間毎に圧縮機の回転数指示に基づいて空気調和機の消費電流を予測しているため正確な余裕電流値の予測が可能であり、空気調和機と同時に使用可能な消費電流値をユーザーが正確に認識できる。さらに、既存のハードウェアだけで実現できるため安価である。
【００１３】
請求項２に係わる発明は、空気調和機の運転開始から所定時間だけ回転数の値を低減させるため、急激な消費電流増加が発生する空気調和機の運転開始付近においても、空気調和機と同時に使用可能な消費電流値をユーザーが正確に認識できる。
【図面の簡単な説明】
【００１４】
【図１】本発明による空気調和機のハードウェア構成を示すブロック図である。
【図２】本発明による空気調和機の機能を示すブロック図である。
【図３】本発明の原理を説明する説明図である。
【図４】経過時間と各運転パラメータの変化を示す表である。
【図５】回転数テーブルを説明する説明図である。
【図６】余裕電流予測手段の動作を説明するフローチャートである。
【図７】従来の空気調和機の制御装置を示すブロック図である。
【図８】従来の空気調和機の機能を示すブロック図である。
【発明を実施するための形態】
【００１５】
以下、本発明の実施の形態を、添付図面に基づいた実施例として詳細に説明する。
【実施例１】
【００１６】
図１は本発明による空気調和機のハードウェア構成を示すブロック図である。
この空気調和機は、電波を用いて通信を行なう無線リモコン６と、室内機１と、圧縮機２ａを備えた室外機２とを備えており、室内機１と室外機２とが通信線３で接続された構成になっている。そして、室内機１は室内の室温を検出する室温検出部４と、時刻を計時するタイマー７と、指示された設定温度や風量、風向、運転モードなどを記憶する記憶部５と、無線リモコン６が送信する指示データを記憶部５に記憶すると共に、室温検出部４で検出した室温が指示データ内の設定温度と近づくように空調運転するために、室外機２へ圧縮機２ａの回転数や運転モードなどの運転指示データを送信し、また、無線リモコン６と通信する制御部８とを備えている。
なお、無線リモコン６は液晶でフルドット表示可能な表示部６ａと、ユーザーの操作を受け付けるキー６ｂと操作の確認音や空気調和機からの報知内容を音や音声で出力するスピーカー６ｃとを備え、また、受け付けた操作を指示データとして電波で送信し、また、状態データを電波で受信して表示部６ａに表示する機能を備えている。
【００１７】
図２は本発明による空気調和機の機能を示すブロック図である。図２で説明する各手段は、一例として記載した図１のハードウェアの機能を用いて実現されるものである。
この空気調和機は、室外機２と、空調運転機能を備えた制御手段１１１と、室温検出部４からの温度信号を室温値に変換して制御手段１１１へ出力する室温検出手段１１２と、制御手段１１１から出力される増加回転数値が入力され、指示された回転数抑制指示に従って増加回転数値を抑制して室外機２へ出力する回転数抑制手段２１と、時刻を計時するタイマ手段２５と、ブレーカトリップ防止のための各種設定値が入力される余裕電流報知機能設定手段２３と、入力された情報をユーザーに報知する報知手段２２と、制御手段１１１からの回転数指令値と増加回転数値とが入力され、回転数抑制指示を回転数抑制手段２１へ、また、報知するための情報を報知手段２２へ、それぞれ出力すると共に、タイマ手段２５と余裕電流報知機能設定手段２３とを制御する余裕電流予測手段２４とを備えている。
【００１８】
次に、図１のハードウェアの構成と図２の手段の構成とを対比して説明する。
図２における制御手段１１１と、回転数抑制手段２１と、余裕電流予測手段２４とは図１の制御部８で実現されるものであり、室温検出手段１１２は制御部８と室温検出部４とで実現され、タイマ手段２５はタイマー７と制御部８とで実現され、報知手段２２は無線リモコン６、及びこの表示部６ａやスピーカー６ｃで実現され、余裕電流報知機能設定手段２３は無線リモコン６、及びこのキー６ｃを用いて実現されている。
なお、図１の構成は一例であり、図２の各手段は必ずしも図１の構成に限定されるものではない。例えば、報知手段２２は室内機１側に備えられた図示しない表示部やブザーを用いて実現してもよいし、余裕電流予測手段２４を無線リモコン６で実現してもよい。
【００１９】
次に本実施例による各手段について詳細に説明する。
制御手段１１１は、無線リモコン６を介してユーザーが設定した設定温度値や運転モード、及び検知した室温値に対応して室外機２内の圧縮機２ａの回転数の増加を指示する増加回転数値を出力して空調運転を実行するようになっている。例えば暖房運転モードの場合、圧縮機２ａの回転数を上昇させれば室温が上昇し、冷房運転モードであれば、圧縮機２ａの回転数を上昇させれば室温が低下する。
制御手段１１１は、室温値から設定温度値を減算して温度差を算出し、この温度差が近づくように増加回転数値を定期的、この実施例では１分毎に出力する。余裕電流予測手段２４はこの回転数指令値を記憶部５に記憶する。なお、圧縮機２ａの回転数が高くなればこれにほぼ比例して空気調和機の消費電力も増加する。
【００２０】
一方、家庭内で使用可能な最大消費電流を規定するブレーカ容量（契約アンペア数）と、冷蔵庫や照明などの常時連続的に使用されている電気機器の消費電流を合計した連続消費電流値と、余裕電流予測手段２４が他の電気機器で使用可能な電流の増減を予測する間隔である予測期間（分）と、本発明によって消費電流の増減を監視する時間帯である消費電流監視期間とがユーザーによって指定され、これらの情報が余裕電流報知機能設定手段２３によって受け付けられて記憶される。余裕電流予測手段２４は、上記各設定値が入力された時、ブレーカ容量から連続消費電流値を差し引いて消費電流制限値を求めて記憶する。この消費電流制限値から空気調和機の消費電流値を差し引いたものが、他の電気機器で使用可能な余裕電流値となる。この実施例ではブレーカ容量が３０アンペア、連続消費電流値が５アンペアとユーザーによって入力された場合、消費電流制限値は２５アンペアとなる。
なお、連続消費電流値は必ずしも必要でなく、この連続消費電流値分を空気調和機の消費電流の値に上乗せしてもよい。この場合、このブレーカ容量から空気調和機の消費電流値を差し引いたものが、他の電気機器で使用可能な余裕電流値となる。
また、この実施例では連続消費電流値や予測期間などをユーザーが入力するようにしているが、これに限るものでなく、予め固定の値を用いるようにしてもよい。
【００２１】
余裕電流予測手段２４は、予測期間がユーザーによって例えば２分に設定された場合、制御手段１１１が１分毎に出力する回転数指令値に基づいて２分周期で増加回転数を予測し、これに前回の回転数指令値を加算して２分後の回転数指令値を予測する。そして、２分後の回転数指令の予測と対応する消費電流値を算出する。なお、この値は室外機２の圧縮機２ａのみの消費電流であるため、これに室外機２の図示しない制御回路やファンモータと室内機１の制御回路やファンモータ等の消費電流を予め実験的に求めた固定値を加算してもよい。これにより、消費電流の算出精度を向上させる事ができる。
【００２２】
次に設定温度と室温との温度差による圧縮機２ａの回転数制御について説明する。前述するように制御手段１１１は、この温度差の大きさにより圧縮機２ａの回転数増加分を決定する。このため制御手段１１１は、その内部に図５に示す回転数テーブルを備えている。
図５の回転数テーブルは、図５（１）暖房運転時の回転数テーブルと、図５（２）冷房運転時の回転数テーブルとで構成されている。それぞれのテーブルは縦方向に温度差（℃）の値とこれに対応する１分間当たりの増加回転数（ＲＰＭ）の項が配置され、温度差の横方向には０を中心として±の温度差の値が記憶されている。
従って制御手段１１１は、この温度差と対応する増加回転数値を室外機２へ出力することで、室温を設定温度に近づけるように制御する。
【００２３】
図３は本発明の原理を説明する説明図であり、暖房運転時を示している。
縦軸は消費電流（アンペア）を、横軸は時間（分）をそれぞれ示しており、ブレーカ容量が３０アンペア、連続消費電流値が５アンペア、消費電流制限値は２５アンペアとなっている。また、予測期間は２分、消費電流監視期間は６０分である。なお、太線の実線が空気調和機の消費電流である。
【００２４】
図３において、消費電流監視期間が開始された０分から４分後に設定温度が１８℃から２３℃に変更されている。そして、１３分後には一旦運転が停止され、１８分後から運転が再開されている。このため、空気調和機の消費電流は４分後まで６アンペアであり、ここから８分後まで消費電流が増加し、室温が設定温度になった９分後から１１アンペアで安定し、１３分後に運転が停止され、空気調和機の消費電流は０アンペアとなる。一方、運転開始した１８分後から２３分後まで消費電流が増加し、以降は減少に転じている。
なお、余裕電流予測手段２４は、ユーザーが設定した消費電流監視期間の間だけ余裕電流の予測を実行し、その他の期間は余裕電流の予測を実行しない。このため、報知手段２２もその他の期間は報知動作を実行しない。
【００２５】
図４は消費電流監視期間内の部分的な経過時間と各運転パラメータの変化を示す説明図である。ユーザーが設定した消費電流監視期間の開始時刻になるとタイマ手段２５はこれを余裕電流予測手段２４に通知し、余裕電流予測手段２４は、予測期間単位での余裕電流予測を開始する。図４は消費電流監視期間が開始された２分後から１０分後までの経過時間毎に運転パラメータの状態を示しており、縦方向に経過時間（分）、室温（℃）、設定温度（℃）、室温から設定温度を減算した温度差（℃）、室外機２に対する圧縮機２ａの回転数指示である増加回転数（ＲＰＭ）、増加回転数により結果的に指示される回転数指令値（ＲＰＭ）、余裕電流予測手段が予測する予測増加回転数（ＲＰＭ）、及び、予測回転数指令値（ＲＰＭ）、この予測回転数指令値と対応する消費電流換算値（アンペア）である。
【００２６】
図４において、制御手段１１１は経過時間が２分の場合に、室温検出手段１１２で検出した室温が１８℃であり、記憶している設定温度が１８℃であるため、室温から設定温度減じて温度差の０℃を算出する。そして、制御手段１１１は、図５（１）暖房運転時の回転数テーブルによってこの時の増加回転数値の０（ＲＰＭ）を抽出して室外機２へ出力する。また、制御手段１１１は、図４に記載していないが、記憶している前回の回転数指令値が６００（ＲＰＭ）であるため、これに増加回転数値の０を加算して、現在から１分後までの回転数指令値として記憶する。
【００２７】
また、余裕電流予測手段２４は、経過時間が２分の場合において、予測期間が２分経過後、つまり、経過時間が４分の場合における予測される消費電流である消費電流換算値を算出する処理を実行する。このため、制御手段１１１は１分周期（増加回転数算出周期）で決定した増加回転数を余裕電流予測手段２４へ出力する。余裕電流予測手段２４は、この増加回転数が２分間継続したと仮定した時の予測回転数指令値を求める。このため、余裕電流予測手段２４は、増加回転数算出周期（１分）に対する予測期間（２分）の比率からなる係数の２に増加回転数を乗じて予測増加回転数＝０（ＲＰＭ）を算出し、前回の回転数指令値６００（ＲＰＭ）に加算して予測回転数指令値６００（ＲＰＭ）を求める。なお、この実施例の空気調和機は予測回転数指令値１００（ＲＰＭ）当たり消費電流が１アンペアとなることを予め実験的に求めて換算係数として記憶しており、この場合、余裕電流予測手段２４は、予測回転数指令値の６００（ＲＰＭ）を消費電流換算値の６アンペアに換算する。
【００２８】
なお、各パラメータの関係を整理すると、
温度差＝室温−設定温度・・・・・・・・・・・・・・・・・・・式１
増加回転数は温度差に基づいて回転数テーブルから抽出する。
回転数指令値＝前回の回転数指令値＋増加回転数・・・・・・・・式２
予測増加回転数＝係数×増加回転数・・・・・・・・・・・・・・式３
係数＝予測期間（分）／増加回転数算出周期（分）・・・・・式４
予測回転数指令値＝前回の回転数指令値＋予測増加回転数・・・・式５
ただし、予測増加回転数がマイナスの場合は
予測回転数指令値＝前回の回転数指令値・・・・・・・・・・・・式５’
消費電流換算値＝予測回転数指令値×換算係数・・・・・・・・・式６
換算係数＝０．０１
なお、換算係数は予測回転数指令値１００（ＲＰＭ）当たり消費電流が１アンペアとなる関係を事前に実験的に求めたものである。
【００２９】
経過時間が３分の時は各パラメータが変化しないため消費電流換算値は６アンペアのままであり、また、前回の予測回転数指令値の算出から予測期間の時間が経過していないため、余裕電流予測手段２４は何もしない。
【００３０】
経過時間が４分の時は、ユーザーによって設定温度が１８℃から２３℃に変更されたため制御手段１１１は、式１を用いて温度差＝室温の１８℃−設定温度の２３℃＝−５℃を算出する。この温度差−５℃に従って図５（１）暖房運転時の回転数テーブルからの温度差『−３℃以下』と対応する増加回転数の２４０（ＲＰＭ）を抽出する。そして、式２から回転数指令値＝前回の回転数指令値の６００（ＲＰＭ）＋増加回転数の２４０（ＲＰＭ）＝８４０（ＲＰＭ）を算出して記憶する。
【００３１】
一方、余裕電流予測手段２４は、前述した係数＝２（式４と対応）を式３に代入して予測増加回転数＝係数の２×増加回転数の２４０（ＲＰＭ）＝４８０（ＲＰＭ）を算出し、さらに、式５を用いて予測回転数指令値＝前回の回転数指令値の６００（ＲＰＭ）＋予測増加回転数の４８０（ＲＰＭ）＝１０８０（ＲＰＭ）を算出する。そしてこれを式６を用いて消費電流に換算すると、消費電流換算値＝予測回転数指令値の１０８０（ＲＰＭ）×換算係数の０．０１＝１０．８アンペアとなり、約１１アンペアとなる。
【００３２】
この消費電流換算値は、経過時間が４分の時に予想した２分後（予想周期）である６分後の消費電流の予測値である。従ってブレーカ容量：３０から連続消費電流値：５と空気調和機の消費電流換算値とを差し引いた値が、現在他の電気機器で使用可能な余裕電流値であり、ユーザーはこの範囲内で電気機器を使用すればブレーカトリップを防止することができる。従って、
余裕電流値（アンペア）＝ブレーカ容量（アンペア）−連続消費電流値（アンペア）−  消費電流換算値（アンペア）・・・・式７  となる。
なお、ブレーカ容量（アンペア）−連続消費電流値（アンペア）の代わりに消費電流制限値を用いて算出してもよい。
【００３３】
ただし、図４の経過時間８分における予測回転数指令値に示すように予測増加回転数がマイナスの場合は、式５の代わりに式５’を用いて前回の回転数指令値の１２００（ＲＰＭ）を予測増加回転数として用いる。予測増加回転数がマイナスの場合は、消費電流が今後低下することを予測するものであるため、空気調和機の現状の消費電流と対応している前回の回転数指令値を用いることで、正確な消費電流換算値を求めることができる。
【００３４】
このような方法を用いて、制御手段１１１は１分毎に実際の消費電流とほぼ対応する回転数指令値（図３の黒丸印）を算出し、余裕電流予測手段２４は２分毎に消費電流換算値（図３の黒四角印）を算出する。それぞれを図３に示す。回転数指令値は、実際の消費電流と対応するように変化する。これを図３の実線で示す。
【００３５】
余裕電流予測手段２４は予測期間毎に式７を用いて余裕電流値を算出する。そして、余裕電流値を報知手段２２へ出力する。報知手段２２では余裕電流値を表示すると共に、余裕電流値が変化した時のみ警告音を発生させる。なお、警告音は余裕電流値に対応させて『ピッ』のブザー音を繰り返してもよいし、ブザー音の周波数を変化させてもよいし、音声合成によって直接、余裕電流値を音声出力してもよい。
【００３６】
次に空気調和機の運転開始時点での制御について説明する。前述した図４での制御は空気調和機が運転開始状態から、室温が安定している定常運転に移行した後の制御について説明している。インバータ方式の空気調和機の場合、運転開始からほぼフルパワーで空調運転するため短時間で消費電流が増加する。つまり、図３の右側の図の点線に示すように、２分間程度で空気調和機の最大消費電流の１５アンペアに到達する。このため、予測期間が４分以上など比較的長い期間が設定されると、余裕電流予測手段２４は経過時間１８分の時点で余裕電流値を１０アンペアと算出しているが、実際には予測期間の半分の時間で余裕電流値が１０アンペアまで減少するため、ユーザーによっては他の電気機器を停止できずにブレーカトリップが発生する場合があった。
【００３７】
このため室内機１は、運転開始から所定時間、例えば６分間は増加回転数を一時的に抑制させて室外機２へ出力するようにする回転数抑制手段２１を備えている。余裕電流予測手段２４は運転開始となった場合、回転数抑制手段２１へ回転数抑制指示を出力する。この指示が入力された回転数抑制手段２１は、制御手段１１１から出力される増加回転数値を半減させて室外機２へ出力する。このため、図３の右の実線で示すように消費電流増加が抑制されて、消費電流が１５アンペアまで到達するまでの時間が長くなる。
【００３８】
以上説明したように、予測期間毎に圧縮機２ａへ指示する増加回転数値に基づいて空気調和機の消費電流を予測しているため正確な余裕電流値の予測が可能であり、空気調和機と同時に使用可能な消費電流値をユーザーが正確に認識できる。さらに、既存のハードウェアだけで実現できるため安価である。
【００３９】
また、空気調和機の運転開始から所定時間だけ回転数の値を抑制（低減）させるため、急激な消費電流増加が発生する空気調和機の運転開始付近においても、空気調和機と同時に使用可能な消費電流値をユーザーが正確に認識できる。
【００４０】
次に図６のフローチャートを用いて消費電流監視期間における余裕電流予測手段２４の動作を説明する。また、図６において、ＳＴはステップを表し、これに続く数字はステップ番号を示す。また、図６中の『Ｙ』はＹｅｓを、『Ｎ』はＮｏをそれぞれ示している。なお、前提として記憶されている消費電流換算値は０となっている。
【００４１】
余裕電流予測手段２４は、まず最初に無線リモコン６から運転開始の指示による運転開始時か確認する（ＳＴ１）。無線リモコン６から運転開始の指示による運転開始時でない場合（ＳＴ１−Ｎ）、予測増加回転数を算出する（ＳＴ２）。次に予測増加回転数がマイナスか確認する（ＳＴ３）。予測増加回転数がマイナスでない場合（ＳＴ３−Ｎ）、予測回転数指令値を算出する（ＳＴ４）。
【００４２】
次に消費電流換算値を算出し、その後、余裕電流値を算出する（ＳＴ６）。そして余裕電流値を報知手段２２へ出力する（ＳＴ７）。そして、予測期間の期間が終了しかた確認する（ＳＴ８）。予測期間の期間が終了していない場合（ＳＴ８−Ｎ）、ＳＴ８へジャンプする。予測期間の期間が終了した場合（ＳＴ８−Ｙ）、ＳＴ１へジャンプする。
【００４３】
一方、無線リモコン６から運転開始の指示による運転開始時の場合（ＳＴ１−Ｙ）、回転数抑制指示を回転数抑制手段２１へ出力すると共に、余裕電流値を算出する。（ＳＴ９）。次に、余裕電流値を報知手段２２へ出力する（ＳＴ１０）。そして所定時間、ここでは６分が経過しかた確認する（ＳＴ１１）。所定時間が終了していない場合（ＳＴ１１−Ｎ）、ＳＴ１１へジャンプする。所定時間が終了した場合（ＳＴ１１−Ｙ）、ＳＴ２へジャンプする。
【００４４】
一方、予測増加回転数がマイナスの場合（ＳＴ３−Ｙ）、前回の回転数指令値を予測回転数指令値とする（ＳＴ５）。そして、ＳＴ６へジャンプする。
【００４５】
なお、本実施例では報知手段２２の出力対象を無線リモコン６の表示部６ａやスピーカー６ｃにしているが、これに限るものでなく、無線でリンクされたスマートフォンなど、外部の機器でもよい。また、余裕電流予測手段２４や報知手段２２そのものを無線でリンクされたスマートフォンなど、外部の機器に備えるようにしてもよい。
【符号の説明】
【００４６】
１  室内機
２  室外機
３  通信線
４  室温検出部
５  記憶部
６  無線リモコン
６ａ  表示部
６ｂ  キー
６ｃ  スピーカー
７  タイマー
８  制御部
２１  回転数抑制手段
２２  報知手段
２３  余裕電流報知機能設定手段
２４  余裕電流予測手段
２５  タイマ手段
１１１  制御手段
１１２  室温検出手段
【図１】
2015031409.tif 000003
【図２】
2015031409.tif 000004
【図３】
2015031409.tif 000005
【図４】
2015031409.tif 000006
【図５】
2015031409.tif 000007
【図６】
2015031409.tif 000008
【図７】
2015031409.tif 000009
【図８】
2015031409.tif 000010